(57)【要約】【課題】色分解及び色合成光学系の組み立て性を改善する。【解決手段】４個の第１〜第４偏光ビームスプリッタ１１〜１４を、各偏光ビームスプリッタの偏光分離面１１ａ〜１４ａがＸ字状になるように配置し、且つ、各偏光ビームスプリッタ同士の向かい合う面間に所定の隙間Ｓを形成してベース台１５に接着した後に、中央部に開口部４２ｂ１を有し、周辺部に光学機能板を接着する段差部４２ａ１を備えた額縁４２Ｌ，４２Ｒを第１〜第４の偏光ビームスプリッタ１１〜１４のいずれかに固着させる。【選択図】図９
2005266763.tif 000002
【特許請求の範囲】
【請求項１】
白色光を複数の色光に色分解して、前記複数の色光をそれぞれの色対応した複数の反射型空間光変調素子に導き、前記各色の反射型空間光変調素子で映像信号に応じて光変調された各色光の色合成を行って色合成光を出射する第１〜第４偏光ビームスプリッタと、前記第１〜第４偏光ビームスプリッタのいずれかに対向して必要に応じて配置された複数の光学機能板とを少なくとも備えた色分解及び色合成光学系において、
前記第１〜第４偏光ビームスプリッタを、各偏光ビームスプリッタの偏光分離面がＸ字状になるように配置し、且つ、前記各偏光ビームスプリッタ同士の向かい合う面間に所定の隙間を形成して接着するベース台と、
中央部に開口部を有し、周辺部に前記光学機能板を接着する段差部を備え、前記第１〜第４偏光ビームスプリッタのいずれかに固着される複数の額縁とからなることを特徴とする色分解及び色合成光学系。
【請求項２】
前記各偏光ビームスプリッタ同士の向かい合う面間に挿入される前記額縁は、前記段差部がここに接着された前記光学機能板と対向する側の偏光ビームスプリッタの一部を侵入させる深さを有していることを特徴とする請求項１記載の色分解及び色合成光学系。
【請求項３】
前記各偏光ビームスプリッタ同士の向かい合う面間に挿入される前記額縁は、前記段差部内に前記光学機能板が接着されたものと、前記段差部内に前記光学機能板が接着されていないものとを適宜組み合わせて直交配置されたことを特徴とする請求項１又は請求項２記載の色分解及び色合成光学系。
【請求項４】
前記白色光の入射側に配置される前記額縁は、前記第１偏光ビームスプリッタに接着される接着用鍔部がいずれかの側面に沿って前面とは反対側の後面よりも後方に向かって突出形成され、一方、前記色合成光の出射側に配置される前記額縁は、前記第４偏光ビームスプリッタに接着される接着用鍔部がいずれかの側面に沿って前面とは反対側の後面よりも後方に向かって突出形成されたことを特徴とする請求項１記載の色分解及び色合成光学系。
【請求項５】
前記白色光の入射側に配置される前記額縁及び前記色合成光の出射側に配置される前記額縁は、それぞれに突出形成した前記接着用鍔部に接着剤を充填するための凹溝が後端側を開口した状態で形成されるか、又は、前記接着用鍔部内に接着剤を充填するための貫通孔が形成されたことを特徴とする請求項４記載の色分解及び色合成光学系。
【請求項６】
白色光を複数の色光に色分解して、前記複数の色光をそれぞれの色対応した複数の反射型空間光変調素子に導き、前記各色の反射型空間光変調素子で映像信号に応じて光変調された各色光の色合成を行って色合成光を出射する第１〜第４偏光ビームスプリッタと、前記第１〜第４偏光ビームスプリッタのいずれかに対向して必要に応じて配置された複数の光学機能板とを少なくとも備えた色分解及び色合成光学系を組み立てる色分解及び色合成光学系の組立方法において、
前記第１〜第４偏光ビームスプリッタを、各偏光ビームスプリッタの偏光分離面がＸ字状になるように配置し、且つ、前記各偏光ビームスプリッタ同士の向かい合う面間に所定の隙間を形成してベース台に接着した後に、中央部に開口部を有し、周辺部に前記光学機能板を接着する段差部を備えた額縁を前記第１〜第４の偏光ビームスプリッタのいずれかに固着させることを特徴とする色分解及び色合成光学系の組立方法。
【発明の詳細な説明】
【技術分野】
【０００１】
本発明は、反射型投射表示装置に用いられる色分解及び色合成光学系、色分解及び色合成光学系の組立方法に関するものである。
【背景技術】
【０００２】
カラー画像を投射するための投射表示装置に用いられる色分解及び色合成光学系は、光源部から出射した白色光をＲ（赤），Ｇ（緑），Ｂ（青）の３原色光に色分解して、この３原色光を対応した各色の空間光変調素子に導き、更に、各色の空間光変調素子で映像信号に応じて光変調された各色光を色合成した色合成光を投射レンズ側に出射させるものである。
【０００３】
この種の色分解及び色合成光学系として、本出願は先に、複数の偏光ビームスプリッタとして４個の第１〜第４偏光ビームスプリッタを上面側から見た時に各偏光ビームスプリッタの偏光分離面がＸ字状になるように配置し、且つ、第１〜第４偏光ビームスプリッタのいずれかに対向して必要に応じて波長選択性偏光変換板を配置すると共に、第１偏光ビームスプリッタを光源部側に配置し、且つ、第４偏光ビームスプリッタを投射レンズ側に配置した時に、ＲＧＢに対応した各色の空間光変調素子を第２，第３偏光ビームスプリッタのいずれかの面に対向して配置した例を提案している（例えば、特許文献１及び特許文献２参照）。
【特許文献１】特開２００２−２２８８０９号公報
【特許文献２】特開２００２−２８７０９４号公報。
【０００４】
上記した特許文献１及び特許文献２において、ここでの図示を省略するものの、色分解及び色合成光学系を組み立てる時に、４個の第１〜第４偏光ビームスプリッタ全てを光透過性のある接合部材（例えば、接着剤）により予め一体的に接合するか、もしくは、４個の第１〜第４偏光ビームスプリッタのうちで２個又は３個を光透過性のある接合部材（例えば、接着剤）により予め一体的に接合し、この後、４個の第１〜第４偏光ビームスプリッタを上面側から見て各偏光ビームスプリッタの偏光分離面がＸ字状に配置されるようにベース台上に固着する方法が取られている。
【発明の開示】
【発明が解決しようとする課題】
【０００５】
ところで、上記した特許文献１及び特許文献２において、色分解及び色合成光学系の光学特性は良好に得られるものの、少なくとも２個以上の偏光ビームスプリッタ同士を光透過性のある接合部材（例えば、接着剤）により予め一体的に接合する際に、偏光ビームスプリッタ同士の位置合わせを行い、且つ、各偏光ビームスプリッタ同士の向かい合う面間に必要に応じて波長選択性偏光変換板を挿入して一体的に接着するために、色分解及び色合成光学系の組み立てに時間がかかり、生産性に問題が生じている。
【０００６】
そこで、偏光ビームスプリッタ同士を光透過性のある接合部材（例えば、接着剤）により予め一体的に接合することなく、４個の第１〜第４偏光ビームスプリッタを上面側から見て各偏光ビームスプリッタの偏光分離面がＸ字状になるようにベース台上に予め固着する方法を採用した時に、第１〜第４偏光ビームスプリッタのいずれかに対向して必要に応じて配置されるノッチフィルタ，波長選択性偏光変換板，半波長板，ゴーストバスター板などの各種の光学機能板を組み立て性良く偏光ビームスプリッタに取り付けることができ、しかも、色分解及び色合成光学系の光学特性を良好に維持でき、更に、塵埃に対しても考慮を図った色分解及び色合成光学系、色分解及び色合成光学系の組立方法が望まれている。
【課題を解決するための手段】
【０００７】
本発明は上記課題に鑑みてなされたものであり、請求項１記載の発明は、白色光を複数の色光に色分解して、前記複数の色光をそれぞれの色対応した複数の反射型空間光変調素子に導き、前記各色の反射型空間光変調素子で映像信号に応じて光変調された各色光の色合成を行って色合成光を出射する第１〜第４偏光ビームスプリッタと、前記第１〜第４偏光ビームスプリッタのいずれかに対向して必要に応じて配置された複数の光学機能板とを少なくとも備えた色分解及び色合成光学系において、
前記第１〜第４偏光ビームスプリッタを、各偏光ビームスプリッタの偏光分離面がＸ字状になるように配置し、且つ、前記各偏光ビームスプリッタ同士の向かい合う面間に所定の隙間を形成して接着するベース台と、
中央部に開口部を有し、周辺部に前記光学機能板を接着する段差部を備え、前記第１〜第４偏光ビームスプリッタのいずれかに固着される複数の額縁とからなることを特徴とする色分解及び色合成光学系である。
【０００８】
また、請求項２記載の発明は、上記した請求項１記載の色分解及び色合成光学系において、
前記各偏光ビームスプリッタ同士の向かい合う面間に挿入される前記額縁は、前記段差部がここに接着された前記光学機能板と対向する側の偏光ビームスプリッタの一部を侵入させる深さを有していることを特徴とする色分解及び色合成光学系である。
【０００９】
また、請求項３記載の発明は、上記した請求項１又は請求項２記載の色分解及び色合成光学系において、
前記各偏光ビームスプリッタ同士の向かい合う面間に挿入される前記額縁は、前記段差部内に前記光学機能板が接着されたものと、前記段差部内に前記光学機能板が接着されていないものとを適宜組み合わせて直交配置されたことを特徴とする色分解及び色合成光学である。
【００１０】
また、請求項４記載の発明は、上記した請求項１記載の色分解及び色合成光学系において、
前記白色光の入射側に配置される前記額縁は、前記第１偏光ビームスプリッタに接着される接着用鍔部がいずれかの側面に沿って前面とは反対側の後面よりも後方に向かって突出形成され、一方、前記色合成光の出射側に配置される前記額縁は、前記第４偏光ビームスプリッタに接着される接着用鍔部がいずれかの側面に沿って前面とは反対側の後面よりも後方に向かって突出形成されたことを特徴とする色分解及び色合成光学系である。
【００１１】
また、請求項５記載の発明は、上記した請求項４記載の色分解及び色合成光学系において、
前記白色光の入射側に配置される前記額縁及び前記色合成光の出射側に配置される前記額縁は、それぞれに突出形成した前記接着用鍔部に接着剤を充填するための凹溝が後端側を開口した状態で形成されるか、又は、前記接着用鍔部内に接着剤を充填するための貫通孔が形成されたことを特徴とする色分解及び色合成光学系である。
【００１２】
更に、請求項６記載の発明は、白色光を複数の色光に色分解して、前記複数の色光をそれぞれの色対応した複数の反射型空間光変調素子に導き、前記各色の反射型空間光変調素子で映像信号に応じて光変調された各色光の色合成を行って色合成光を出射する第１〜第４偏光ビームスプリッタと、前記第１〜第４偏光ビームスプリッタのいずれかに対向して必要に応じて配置された複数の光学機能板とを少なくとも備えた色分解及び色合成光学系を組み立てる色分解及び色合成光学系の組立方法において、
前記第１〜第４偏光ビームスプリッタを、各偏光ビームスプリッタの偏光分離面がＸ字状になるように配置し、且つ、前記各偏光ビームスプリッタ同士の向かい合う面間に所定の隙間を形成してベース台に接着した後に、中央部に開口部を有し、周辺部に前記光学機能板を接着する段差部を備えた額縁を前記第１〜第４の偏光ビームスプリッタのいずれかに固着させることを特徴とする色分解及び色合成光学系の組立方法である。
【発明の効果】
【００１３】
本発明に係る色分解及び色合成光学系によると、とくに、第１〜第４偏光ビームスプリッタを、各偏光ビームスプリッタの偏光分離面がＸ字状になるように配置し、且つ、各偏光ビームスプリッタ同士の向かい合う面間に所定の隙間を形成して接着するベース台と、中央部に開口部を有し、周辺部に光学機能板を接着する段差部を備え、第１〜第４偏光ビームスプリッタのいずれかに固着される複数の額縁とからなるため、各種の光学機能板を組み立て性良く偏光ビームスプリッタに取り付けることができ、しかも、色分解及び色合成光学系の光学特性を良好に維持できる。また、各偏光ビームスプリッタ同士の向かい合う面間に挿入される額縁は、段差部がここに接着された光学機能板と対向する側の偏光ビームスプリッタの一部を侵入させる深さを有しているので、色分解及び色合成光学系内に塵埃が侵入しないように考慮を図ることができる。更に、白色光の入射側に配置される額縁及び色合成光の出射側に配置される額縁は、いずれかの側面に沿って前面とは反対側の後面よりも後方に向かって各接着用鍔部が突出形成されているので、接着剤により第１，第４各偏光ビームスプリッタに確実に接着することができる。
【００１４】
また、本発明に係る色分解及び色合成光学系の組立方法によると、とくに、第１〜第４偏光ビームスプリッタを、各偏光ビームスプリッタの偏光分離面がＸ字状になるようにように配置し、且つ、各偏光ビームスプリッタ同士の向かい合う面間に所定の隙間を形成してベース台に接着した後に、中央部に開口部を有し、周辺部に光学機能板を接着する段差部を備えた額縁を第１〜第４の偏光ビームスプリッタのいずれかに固着させているため、各種の光学機能板を組み立て性良く偏光ビームスプリッタに取り付けることができ、しかも、色分解及び色合成光学系の光学特性を良好に維持でき、更に、色分解及び色合成光学系内に塵埃が侵入しないように考慮を図ることができる。
【発明を実施するための最良の形態】
【００１５】
以下に本発明に係る色分解及び色合成光学系、色分解及び色合成光学系の組立方法の一実施例を図１乃至図１８を参照して実施例１，２の順に詳細に説明する。
【実施例１】
【００１６】
図１は本発明に係る実施例１の色分解及び色合成光学系の原理図、
図２は図１に示した波長選択性偏光変換板（Ｒ，Ｇ，Ｂ用偏光変換板）を拡大して示した斜視図である。
【００１７】
図１に示した本発明に係る実施例１の色分解及び色合成光学系１０は、反射型投射表示装置内で光源部と投射レンズとの間に設けられている。
【００１８】
上記した色分解及び色合成光学系１０は、光源部から出射した白色光をＲ（赤），Ｇ（緑），Ｂ（青）の３原色光に色分解して、この３原色光をＲ，Ｇ，Ｂにそれぞれ対応した３つの反射型空間光変調素子３０Ｒ，３０Ｇ，３０Ｂに導き、更に、各色の反射型空間光変調素子３０Ｒ，３０Ｇ，３０Ｂで映像信号に応じて光変調された各色光を色合成した色合成光を投射レンズ側に出射する機能を備えている。
【００１９】
この際、Ｒ，Ｇ，Ｂの３原色光に対応した反射型空間光変調素子３０Ｒ，３０Ｇ，３０Ｂは例えば反射型液晶パネルを用いており、以下、反射型空間光変調素子３０Ｒ，３０Ｇ，３０Ｂを反射型液晶パネル３０Ｒ，３０Ｇ，３０Ｂと呼称する。
【００２０】
より具体的に説明すると、本発明に係る実施例１の色分解及び色合成光学系１０では、光学ガラスを用いて直方体状（立方体状も含む）に形成された４個の第１〜第４偏光ビームスプリッタ１１〜１４が上面側から見た時に各偏光ビームスプリッタの偏光分離面１１ａ〜１４ａがＸ字状になるように配置されている。
【００２１】
この際、図１の平面図上で、第１偏光ビームスプリッタ１１の左方に第２偏光ビームスプリッタ１２を配置し、且つ、第１偏光ビームスプリッタ１１の上方に第３偏光ビームスプリッタ１３を配置すると共に、第２偏光ビームスプリッタ１２の上方で且つ第３偏光ビームスプリッタ１３の左方に第４偏光ビームスプリッタ１４を配置しており、更に、第１偏光ビームスプリッタ１１の光入射面と第４偏光ビームスプリッタ１４の光出射面とが後述する各種の光学機能板２１〜２７の配置関係及び反射型液晶パネル３０Ｒ，３０Ｇ，３０Ｂの配置関係により直交している。
【００２２】
また、白色光が入射する光源部側の第１偏光ビームスプリッタ１１と、色合成光を出射する投射レンズ側の第４偏光ビームスプリッタ１４とが大型サイズに形成されており、且つ、第１，第４偏光ビームスプリッタ１１，１４の各偏光分離面１１ａ，１４ａが対角状に配置されている。
【００２３】
また、第２，第３偏光ビームスプリッタ１２，１３は、第１，第４偏光ビームスプリッタ１１，１４よりも一回り小型サイズに形成されており、且つ、第２，第３偏光ビームスプリッタ１２，１３の各偏光分離面１２ａ，１３ａが第１，第４偏光ビームスプリッ１１，１４の偏光分離面１１ａ，１４ａに対して直交するように対角状に配置されている。
【００２４】
また、上記した第１〜第４偏光ビームスプリッ１１〜１４の各偏光分離面１１ａ〜１４ａは、ｐ偏光光を透過し、且つ、ｓ偏光光を反射する半透過・反射偏光膜が直方形状の対角線に沿って形成されている。
【００２５】
尚、以下の説明において、後述するように３色のＲｐ光，Ｇｐ光，Ｂｐ光はＲ，Ｇ，Ｂにそれぞれ対応したｐ偏光光を示し、一方、３色のＲｓ光，Ｇｓ光，Ｂｓ光はＲ，Ｇ，Ｂにそれぞれ対応したｓ偏光光を示すものとする。
【００２６】
また、小型サイズの第２偏光ビームスプリッタ１２の左側面と下面とに対向してＲ用の反射型液晶パネル３０ＲとＧ用の反射型液晶パネル３０Ｇとが互いに直交してそれぞれ配置され、且つ、小型サイズの第３偏光ビームスプリッタ１３の右側面に対向してＢ用の反射型液晶パネル３０Ｂが配置されている。これにより、反射型液晶パネル３０Ｒ，３０Ｇ，３０Ｂを第１，４偏光ビームスプリッ１１，１４の各外枠の略延長線上に配置できるので、色分解及び色合成光学系１０の小型化を図ることができる。
【００２７】
尚、第１〜第４偏光ビームスプリッ１１〜１４を全て同じサイズに形成することも可能であるが、この場合には反射型液晶パネル３０Ｒ，３０Ｇ，３０Ｂが第１，４偏光ビームスプリッ１１，１４の各外枠の延長線よりも外側に配置されるので、色分解及び色合成光学系１０は実施例１の場合よりも大型化するものである。
【００２８】
また、光源部側の第１偏光ビームスプリッタ１１の光入射面には、５８０ｎｍ近傍の波長の光をカットするノッチフィルタ板２１と、Ｂ光の偏波面を９０°回転させる機能を有する波長選択性偏光変換板（以下、Ｂ用偏光変換板と記す）２２とが設置されている。また、第１偏光ビームスプリッタ１１と第２偏光ビームスプリッタ１２との間には、Ｇ光の偏波面を９０°回転させる機能を有する波長選択性偏光変換板（以下、Ｇ用偏光変換板と記す）２３が設置されている。また、第２偏光ビームスプリッタ１２と第４偏光ビームスプリッタ１４との間には、Ｒ光の偏波面を９０°回転させる機能を有する波長選択性偏光変換板（以下、Ｒ用偏光変換板と記す）２４が設置されている。また、第１偏光ビームスプリッタ１１と第３偏光ビームスプリッタ１３との間には、偏光を整えるための半波長板２５が設置されている。また、第３偏光ビームスプリッタ１３と第４偏光ビームスプリッタ１４との間には、Ｂ光の偏波面を９０°回転させる機能を有する波長選択性偏光変換板（以下、Ｂ用偏光変換板と記す）２６が設置されている。また、光源側の第４偏光ビームスプリッタ１４の光出射面には、この出射面から出射した出射光の波長λに対してλ／４だけ回して戻り光が色分解及び色合成光学系１０内に侵入しないように防止するためのゴーストバスター板２７が設置されている。
【００２９】
この際、各色の波長選択性偏光変換板となるＢ用偏光変換板２２，Ｇ用偏光変換板２３，Ｒ用偏光変換板２４，Ｂ用偏光変換板２６は、図２に拡大して示した如く、透明なポリカーボネイトなどの有機フィルムを１０層程度に亘ってそれぞれ位相を違えてラミネイト（積層）して、厚みが０．６〜０．９ｍｍ程度のポリカーボネイトラミネイト体として各偏光ビームスプリッタ１１〜１４の外形形状にそれぞれ合わせて板状に形成されているものである。
【００３０】
従って、上記した各構成部材のうちでノッチフィルタ板２１，Ｂ用偏光変換板２２，Ｇ用偏光変換板２３，Ｒ用偏光変換板２４，半波長板２５，Ｂ用偏光変換板２６，ゴーストバスター板２７は、光を透過させる時にそれぞれ固有の光学機能を有しているので、以下、これらを総称して光透過型として形成された光学機能板と呼称する場合もある。
【００３１】
次に、上記の構成による色分解及び色合成光学系１０の動作について図１を用いて説明すると、光源部から得られたｐ偏光光のＲｐ光，Ｇｐ光，Ｂｐ光からなる白色光が、まずノッチフィルタ板２１に入射され、このノッチフィルタ板２１で５８０ｎｍ近傍の波長の光をカットされた後にＢ用偏光変換板２２に入射すると、Ｂ用偏光変換板２２でｐ偏光光のＢｐ光がｓ偏光光のＢｓ光に偏光変換されて第１偏光ビームスプリッタ１１に入射すると共に、Ｂ用偏光変換板２２はｐ偏光光のＲｐ光及びＧｐ光に対して何ら作用しないために、Ｒｐ光及びＧｐ光はＢ用偏光変換板２２を透過して第１偏光ビームスプリッタ１１に入射する。
【００３２】
そして、第１偏光ビームスプリッタ１１に入射したｐ偏光光のＲｐ光及びＧｐ光は偏光分離面１１ａを透過し、そのまま直進してＧ用偏光変換板２３に入射すると、Ｇ用偏光変換板２３はｐ偏光光のＲｐ光に対して何ら作用しないために、Ｒｐ光はＧ用偏光変換板２３を透過して第２偏光ビームスプリッタ１２に入射すると共に、Ｇ用偏光変換板２３でｐ偏光光のＧｐ光がｓ偏光光のＧｓ光に偏光変換されて第２偏光ビームスプリッタ１２に入射する。
【００３３】
この後、第２偏光ビームスプリッタ１２に入射したｐ偏光光のＲｐ光は、偏光分離面１２ａを透過してＲ用の反射型液晶パネル３０Ｒに入射し、このＲ用の反射型液晶パネル３０ＲでＲ対応の映像信号に応じた光変調を受けて、ここで光変調されて生成したｓ偏光成分のＲｓ光となって反射型液晶パネル３０Ｒから出射され、偏光分離面１２ａで反射された後に９０°方向を転じてＲ用偏光変換板２４に入射する。一方、第２偏光ビームスプリッタ１２に入射したｓ偏光光のＧｓ光は、偏光分離面１２ａで反射された後に９０°方向を転じてＧ用の反射型液晶パネル３０Ｇに入射し、このＧ用の反射型液晶パネル３０ＧでＧ対応の映像信号に応じた光変調を受けて、ここで光変調されて生成したｐ偏光成分のＧｐ光となって反射型液晶パネル３０Ｇから出射され、偏光分離面１２ａを透過してＲ用偏光変換板２４に入射する。
【００３４】
そして、Ｒ用偏光変換板２４に入射したｓ偏光光のＲｓ光は、ｐ偏光光のＲｐ光に偏光変換されて第４偏光ビームスプリッタ１４に入射し、一方、Ｒ用偏光変換板２４に入射したｐ偏光光のＧｐ光は、何ら作用しないために、Ｇｐ光はＲ用偏光変換板２４を透過して第４偏光ビームスプリッタ１４に入射する。
【００３５】
この後、第４偏光ビームスプリッタ１４に入射したｐ偏光光のＲｐ光及びＧｐ光は、共に偏光分離面１４ａを透過してそのまま直進し、ゴーストバスター板２７を介して投射レンズ側に出射される。この際、ゴーストバスター板２７は前述したように第４偏光ビームスプリッタ１４からの出射光の波長λに対してλ／４だけ回して戻り光が色分解及び色合成光学系１０内に侵入しないように防止している。
【００３６】
また、第１偏光ビームスプリッタ１１に入射したｓ偏光光のＢｓ光は、偏光分離面１１ａで反射された後に９０°方向を転じて半波長板２５に入射し、この半波長板２５で偏光を整えてから第３偏光ビームスプリッタ１３に入射する。この後、第３偏光ビームスプリッタ１３に入射したｓ偏光光のＢｓ光は、偏光分離面１３ａで反射された後に９０°方向を転じてＢ用の反射型液晶パネル３０Ｂに入射し、このＢ用の反射型液晶パネル３０ＢでＢ対応の映像信号に応じた光変調を受けて、ここで光変調されて生成したｐ偏光成分のＢｐ光となって反射型液晶パネル３０Ｂから出射され、偏光分離面１２ａを透過してそのまま直進してＢ用偏光変換板２６に入射する。そして、Ｂ用偏光変換板２６に入射したｐ偏光成分のＢｐ光は、ｓ偏光光のＢｓ光に偏光変換されて第４偏光ビームスプリッタ１４に入射する。更に、第４偏光ビームスプリッタ１２に入射したｓ偏光光のＢｓ光は、偏光分離面１４ａで反射された後に９０°方向を転じてゴーストバスター板２７を介して投射レンズ側に出射される。従って、第４偏光ビームスプリッタ１４の光出射面からｐ偏光光のＲｐ及びＧｐ光と、ｓ偏光光のＢｓ光とを合成した色合成光がゴーストバスター板２７を介して投射レンズ側に出射されている。
【００３７】
次に、上記構成による色分解及び色合成光学系１０において、第１〜第４偏光ビームスプリッタ１１〜１４をベース台１５上に接着して、ノッチフィルタ板２１，Ｂ用偏光変換板２２，Ｇ用偏光変換板２３，Ｒ用偏光変換板２４，半波長板２５，Ｂ用偏光変換板２６，ゴーストバスター板２７などの各種の光学機能板をそれぞれ所定の位置で第１〜第４偏光ビームスプリッタ１１〜１４に取り付ける技術的思想について説明する。尚、以下では、図示が複雑になるので、色分解及び色合成光学系１０を構成する反射型液晶パネル３０Ｒ，３０Ｇ，３０Ｂの図示を省略して説明する。
【００３８】
図３は４個の第１〜第４偏光ビームスプリッタをベース台上に予め接着した状態を示した斜視図、
図４（ａ），（ｂ）は４個の第１〜第４偏光ビームスプリッタをベース台上に接着する動作を説明するための側面図，下面図である。
【００３９】
図３及び図４（ａ），（ｂ）に示した如く、本発明に係る実施例１の色分解及び色合成光学系１０を組み立てる際に、４個の第１〜第４偏光ビームスプリッタ１１〜１４をベース台１５上に予め接着している。
【００４０】
即ち、４個の第１〜第４偏光ビームスプリッタ１１〜１４を周知のロボットで把持しながら、各上面１１ｂ〜１４ｂ側から見た時に各偏光ビームスプリッタ（１１〜１４）の偏光分離面１１ａ〜１４ａがＸ字状になるようにベース台１５上に搭載すると共に、各偏光ビームスプリッタ（１１〜１４）同士の向かい合う面間に所定の隙間Ｓ｛図４（ａ），（ｂ）｝を確保した上で、光学測定器を用いて第１〜第４偏光ビームスプリッタ１１〜１４を位置決めした後に、各下面１１ｃ〜１４ｃを紫外線硬化樹脂接着剤１６を用いて接着している。
【００４１】
具体的に説明すると、図４（ａ），（ｂ）に示した如く、ベース台１５は黒色樹脂材を用いて形成した外枠１５ａの内側に正方形状の透明ガラス１５ｂが嵌め込まれて一体的に固着されている。そして、４個の第１〜第４偏光ビームスプリッタ１１〜１４は、各下面１１ｃ〜１４ｃ中で偏光分離面１１ａ〜１４ａがＸ字状にクロスする各コーナ部位の近傍に紫外線硬化樹脂接着剤１６を塗り、ベース台１５上で第１〜第４偏光ビームスプリッタ１１〜１４を所定の位置に位置決めした後に、透明ガラス１５ｂの下方から紫外線を照射して接着している。
【００４２】
この際、ベース台１５上では、第１，第２偏光ビームスプリッタ１１，１２間と、第２，第４偏光ビームスプリッタ１２，１４間と、第４，第３偏光ビームスプリッタ１４，１３間と、第３，第１偏光ビームスプリッタ１４，１３間とに所定の隙間Ｓが略同じ寸法でそれぞれ形成されており、後述するように各所定の隙間Ｓ内に光学機能板を接着した第２額縁４２Ｌ，４２Ｒ（図７）が向かい合う偏光ビームスプリッタ（１１〜１４）の側面側から挿入可能になっているが、ベース台１５上で紫外線硬化樹脂接着剤１６が所定の隙間Ｓ内にはみ出した場合に第２額縁４２Ｌ，４２Ｒの各下面に対策が施されているがこの対策については後で述べる。
【００４３】
ここで、第１偏光ビームスプリッタ１１の光入射面及び第４偏光ビームスプリッタ１４の光出射面に各種の光学機能板を取りける際に用いられる第１額縁４１Ｌ，４１Ｒについて、図５，図６を用いて説明する。
【００４４】
図５（ａ），（ｂ）は第１額縁４１Ｌ，４１Ｒを拡大して示した斜視図、
図６（ａ）〜（ｆ）は第１額縁４１Ｌを示した上面図，前面図，左側面図，後面図，Ｘ−Ｘ断面図，Ａ部拡大図である。
【００４５】
図５（ａ），（ｂ）に示した如く、第１額縁４１Ｌ，４１Ｒは、光学機能板と略同じ値の熱膨脹係数を有する黒色樹脂材を用いて略矩形の額縁状に形成されており、且つ、先に説明した大型サイズの第１，第４偏光ビームスプリッタ１１，１４の縦横寸法より一回り大きな縦横寸法に設定されている。また、第１額縁４１Ｌ，４１Ｒは、後述するように左右の側面に形成した各接着用鍔部のみが左右対称に形成されている点が異なっているだけであり、その他の部位は同じ形状に形成されている。
【００４６】
即ち、図５（ａ），図６（ａ）〜（ｆ）に示した如く、第１ビームスプリッタ１１の光入射面に取り付けられる第１額縁４１Ｌは、前面４１ａ側の奥方周辺部に第１段差部４１ａ１が所定外形寸法の光学機能板に合わせて矩形枠状に開口され、且つ、第１段差部４１ａ１より前方の周辺部にこれより一回り外形寸法が大きい第２段差部４１ａ２が上記した所定外形寸法よりも一回り大きい光学機能板に合わせて矩形枠状に開口されている共に、第１段差部４１ａ１の上下左右のコーナ部位に接着剤用の糊代部４１ａ３が４か所形成されている。
【００４７】
そして、第１額縁４１Ｌの前面４１ａ側より大きさの異なる２枚の光学機能板２１，２２（図１）を第１，第２段差部４１ａ１，４１ａ２内に嵌め込んだ後に不図示の接着剤を４か所の糊代部４１ａ３に充填して、２枚の光学機能板２１，２２（図１）を接着している。勿論、第１額縁４１Ｌの前面４１ａに１枚の光学機能板のみを取り付ける場合には第１，第２段差部４１ａ１，４１ａ２内のいずれか一方だけに嵌め込めば良い。
【００４８】
また、第１額縁４１Ｌの後面４１ｂの中央部には、光を透過させるためのアパーチャ機能を有する開口部４１ｂ１が前面４１ａの奥方周辺部に形成した第１段差部４１ａ１より一回り小さく、且つ、第１段差部４１ａ１と後面４１ｂとの厚みが薄く設定されて矩形状に開口されている。
【００４９】
また、第１額縁４１Ｌの上側面４１ｃ側には、接着用鍔部４１ｃ１が前面４１ａと反対側の後面４１ｂよりも後方に向かって上側面４１ｃに沿いながら水平に突出形成され、且つ、後面４１ｂよりも後方の接着用鍔部４１ｃ１の左右に不図示の接着剤を第１ビームスプリッタ１１側に充填するための凹溝４１ｃ１−１，４１ｃ１−２が後端を開口した状態で形成されている。
【００５０】
また、上記と同様に、第１額縁４１Ｌの下側面４１ｄ側には、接着用鍔部４１ｄ１が後面４１ｂよりも後方に向かって下側面４１ｄに沿いながら水平に突出形成され、且つ、後面４１ｂよりも後方の接着用鍔部４１ｄ１の左右に不図示の接着剤を第１ビームスプリッタ１１側に充填するための凹溝４１ｄ１−１，４１ｄ１−２が後端を開口した状態で形成されている。
【００５１】
また、上記と同様に、第１額縁４１Ｌの左面４１ｅ側には、接着用鍔部４１ｅ１が後面４１ｂよりも後方に向かって左側面４１ｅに沿いながら垂直に突出形成され、且つ、後面４１ｂよりも後方の接着用鍔部４１ｅ１の上下に不図示の接着剤を第１ビームスプリッタ１１側に充填するための凹溝４１ｅ１−１，４１ｅ１−２が後端を開口した状態で形成されている。
【００５２】
尚、第１額縁４１Ｌの右側面４１ｆ側は、接着用鍔部が形成されていない。
【００５３】
そして、第１額縁４１Ｌの上側面４１ｃ側，下側面４１ｄ側，左側面４１ｅ側に形成した各接着用鍔部４１ｃ１，４１ｄ１，４１ｅ１の各凹溝４１ｃ１−１，４１ｃ１−２，４１ｄ１−１，４１ｄ１−２，４１ｅ１−１，４１ｅ１−２内に不図示の接着剤をそれぞれ充填することで、第１額縁４１Ｌが光源側の第１偏光ビームスプリッタ１１に接着されるようになっている。
【００５４】
一方、図５（ｂ）に示した如く、第４ビームスプリッタ１４の光出射面に取り付けられる第１額縁４１Ｒは、右側面４１ｆ側に接着用鍔部４１ｆ１が後面４１ｂよりも後方に向かって右側面４１ｆに沿いながら垂直に突出形成され、且つ、後面４１ｂよりも後方の接着用鍔部４１ｆ１の上下に不図示の接着剤を第４ビームスプリッタ１４側に充填するための凹溝４１ｆ１−１，４１ｆ１−２が後端を開口した状態で形成されている点が第１額縁４１Ｌに対して異なっているので詳述を省略するが、この第１額縁４１Ｒは投射レンズ側の第４偏光ビームスプリッタ１４に接着されるようになっている。尚、第１額縁４１Ｒの形状は、第１額縁４１Ｌの上下を反転させれば得られるものであるから、第１額縁４１Ｒを別個に作製しなくても良く、第１額縁４１Ｌのみ又は第１額縁４１Ｒのみで第１，第４偏光ビームスプリッタ１１，１４に対して共用できるものである。
【００５５】
次に、各偏光ビームスプリッタ（１１〜１４）同士の向かい合う面間に形成された所定の隙間Ｓ｛図４（ａ），（ｂ）｝内に各種の光学機能板を取りける際に用いられる第２額縁４２Ｌ，４２Ｒについて、図７，図８を用いて説明する。
【００５６】
図７（ａ），（ｂ）は第２額縁４２Ｌ，４２Ｒを拡大して示した斜視図、
図８（ａ）〜（ｈ）は第２額縁４２Ｌを示した上面図，前面図，左側面図，後面図，Ｙ−Ｙ断面図，Ｘ−Ｘ断面図，Ａ部拡大図，下面図である。
【００５７】
図７（ａ），（ｂ）に示した如く、第２額縁４２Ｌ，４２Ｒも、光学機能板と略同じ値の熱膨脹係数を有する黒色樹脂材を用いて略矩形の額縁状に形成されており、且つ、小型サイズの第２，第３偏光ビームスプリッタ１２，１３の縦横寸法より一回り大きな縦横寸法に設定されている。また、第２額縁４２Ｌ，４２Ｒは、先に図４を用いて説明したように各偏光ビームスプリッタ（１１〜１４）同士の向かい合う面間に形成された所定の隙間Ｓ｛図４（ａ），（ｂ）｝内に挿入した時に、両者４２Ｌ，４２Ｒを直角に交差させるためのテーパー面のみが左右対称に形成されている点が異なっているだけであり、その他の部位は同じ形状に形成されている。
【００５８】
そして、後述するように、第２額縁４２Ｌは第１，第２偏光ビームスプリッタ１１，１２間及び第３，第４偏光ビームスプリッタ１３，１４間に挿入され、一方、第２額縁４２Ｒは第２，第４偏光ビームスプリッタ１２，１４間及び第１，第３偏光ビームスプリッタ１１，１３間に挿入されるように構成されている。
【００５９】
即ち、図７（ａ），図８（ａ）〜（ｈ）に示した如く、第２額縁４２Ｌは、前面４２ａの周辺部に段差部４２ａ１が所定外形寸法の光学機能板に合わせて矩形枠状に開口されている共に、段差部４２ａ１の上下左右のコーナ部位に接着剤用の糊代部４２ａ２が４か所形成されている。そして、第２額縁４２Ｌの前面４１ａ側より１枚の光学機能板を段差部４２ａ１内に嵌め込んだ後に不図示の接着剤を４か所の糊代部４２ａ２に充填して、１枚の光学機能板を接着している。
【００６０】
この際、第２額縁４２Ｌの段差部４２ａ１の深さは、ここに接着される光学機能板の厚みより大きく設定することにより、この光学機能板と対向する側の偏光ビームスプリッタ（１１〜１４）の一部を侵入させることができるので色分解及び色合成光学系１０内に塵埃が侵入しないように考慮を図ることができ、且つ、侵入した偏光ビームスプリッタ（１１〜１４）の面と光学機能板との間に僅かの空間が得られるように設定されているので、光学機能板と偏光ビームスプリッタ（１１〜１４）との間での温度上昇を防ぐことができるようになっている。尚、光源部から出射される白色光により色分解及び色合成光学系１０内で温度上昇が発生している。
【００６１】
また、第２額縁４２Ｌの後面４２ｂの中央部には、光を透過させるためのアパーチャ機能を有する開口部４２ｂ１が前面４２ａの周辺部に形成した段差部４２ａ１より一回り小さく、且つ、段差部４２ａ１と後面４２ｂとの厚みが薄く設定されて矩形状に開口されている。
【００６２】
また、第２額縁４２Ｌの上側面４２ｃ側には、接着用鍔部４２ｃ１が前面４１ａと反対側の後面４２ｂよりも後方に向かって水平に突出形成されている。更に、上方の接着用鍔部４２ｃ１には不図示の接着剤を充填するための凹溝４２ｃ１−１が後端を開口した状態で形成されて、この凹溝４２ｃ１−１内に不図示の接着剤を充填することで、第２額縁４２Ｌが第１偏光ビームスプリッタ１１の上面又は第４偏光ビームスプリッタ１４の上面に接着されるようになっている。
【００６３】
また、第２額縁４２Ｌの下側面４２ｄは左側面４２ｅ側が上方に向かって浅く切り欠かれて切り欠き部４２ｄ１が形成されている。この切り欠き部４２ｄ１は、先に図４を用いて説明したようにベース台１５上に第１〜第４偏光ビームスプリッタ１１〜１４を紫外線硬化樹脂接着剤１６を用いて接着した時に、ベース台１５上で各偏光ビームスプリッタ（１１〜１４）同士の向かい合う面間に形成された所定の隙間Ｓ内に紫外線硬化樹脂接着剤１６がはみ出した場合に紫外線硬化樹脂接着剤１６のはみ出し部位を避けるための逃げ用として機能するものである。
【００６４】
また、第２額縁４２Ｌの左側面４２ｅには、テーパー面４２ｅ１が前面４２ａよりも引っ込んで且つ前面４２ａに対して開口した状態で形成されており、このテーパー面４２ｅ１は後述するように図７（ｂ）に示した第２額縁４２Ｒの右側面４２ｆに形成したテーパー面４２ｆ２と突き合わせた時に、第２額縁４２Ｌと第２額縁４２Ｒとが直交できるように形成されている。
【００６５】
また、第２額縁４２Ｌの右側面４２ｆにはストッパー面４２ｆ１が形成されており、このストッパー面４２ｆ１は光学機能板の側面が位置決めされて当接すると共に、後述するように第２額縁４２Ｌのテーパー面４２ｅ１側を先頭にして先に図４を用いて説明したベース台１５上で所定の隙間Ｓ内に挿入した時に第２偏光ビームスプリッタ１２の側面又は第３偏光ビームスプリッタの側面が位置決めされて当接するようになっている。
【００６６】
また、第２額縁４２Ｌの左側面４２ｅに形成したテーパー面４２ｅ１の近傍の後面４２ｂ部位は、図８（ｇ）に拡大して示した如く、後面４２ｂよりも内側に向かって僅かに凹ませた段差４２ｂ２が形成されており、この段差４２ｂ２は第２額縁４２Ｌを第１偏光ビームスプリッタ１１又は第４偏光ビームスプリッタ１４に沿って挿入する時に第１偏光ビームスプリッタ１１の側面又は第４偏光ビームスプリッタ１４の側面が傷つかなようにするための逃げ用として機能するものである。
【００６７】
一方、図７（ｂ）に示した如く、第２額縁４２Ｒは、上記したように右側面４２ｆ側にテーパー面４２ｆ２が形成されている点が第２額縁４２Ｌに対して異なっているだけであるので詳述を省略するが、この第２額縁４２Ｒも第１偏光ビームスプリッタ１１の上面又は第４偏光ビームスプリッタ１４の上面に接着されるようになっている。
【００６８】
尚、第２額縁４２Ｌ，４２Ｒに２枚の光学機能板を接着したい場合には、第１額縁４１Ｌ，４１Ｒと同様に第１，第２段差部を大きさを違えて前面４２ａ側に枠状に形成すれば良い。
【００６９】
更に、この実施例１では、第２額縁４２Ｌ，４２Ｒの各上側面４２ｃに形成した各接着用鍔部４２ｃ１を、第１偏光ビームスプリッタ１１の上面又は第４偏光ビームスプリッタ１４の上面に接着するように形成したが、これに限定されることなく、第２額縁４２Ｌ，４２Ｒを第１〜第４偏光ビームスプリッタ１１〜１４のいずれかに取り付けることができるように形成することも可能である。
【００７０】
ここで、本発明に係る実施例１の色分解及び色合成光学系１０の組み立てに関して図９〜図１３を用いて説明する。
【００７１】
図９は本発明に係る実施例１の色分解及び色合成光学系を組み立てた状態を一部断面して示した平面図、
図１０（ａ），（ｂ）は第１，第２額縁を第１偏光ビームスプリッタに取り付けた状態を示した断面図，斜視図、
図１１は４個の第２額縁の各テーパー面をＸ字状に交差させた状態を拡大して示した平面図、
図１２は本発明に係る実施例１の色分解及び色合成光学系を組み立てた状態を示した斜視図、
図１３は本発明に係る実施例１の色分解及び色合成光学系において、４個の第２額縁の各テーパー面をＸ字状に交差させた上面に透明シールを貼り付けた状態を示した平面図である。
【００７２】
まず、図９に示した如く、４個の第１〜第４偏光ビームスプリッタ１１〜１４を上面側から見た時に各偏光ビームスプリッタ（１１〜１４）の偏光分離面１１ａ〜１４ａがＸ字状になるように配置すると共に、各偏光ビームスプリッタ（１１〜１４）同士の向かい合う面間に所定の隙間Ｓを確保した上でベース台１５上に接着した後に、上記した所定の隙間Ｓ内に光学機能板を固着した第２額縁４２Ｌ，４２Ｒを挿入して、第２額縁４２Ｌ，４２Ｒを第１偏光ビームスプリッタ１１の上面又は第４偏光ビームスプリッタ１４の上面のいずれかに接着している。
【００７３】
具体的に説明すると、Ｇ用偏光変換板２３を接着した第２額縁４２Ｌは、テーパー面４２ｅ１を先頭にして第１，第２偏光ビームスプリッタ１１，１２の各側面側から矢印Ｙ１方向に向かって第１，第２偏光ビームスプリッタ１１，１２間に挿入し、この第２額縁４２Ｌを第１偏光ビームスプリッタ１１の上面に接着している。
【００７４】
また、Ｒ用偏光変換板２４を接着した第２額縁４２Ｒは、テーパー面４２ｆ２を先頭にして第２，第４偏光ビームスプリッタ１２，１４の各側面側から矢印Ｘ１方向に向かって第２，第４偏光ビームスプリッタ１２，１４間に挿入し、この第２額縁４２Ｒを第４偏光ビームスプリッタ１４の上面に接着している。
【００７５】
また、半波長板２５を接着した第２額縁４２Ｒは、テーパー面４２ｆ２を先頭にして第１，第３偏光ビームスプリッタ１１，１３の各側面側から矢印Ｘ２方向に向かって第１，第３偏光ビームスプリッタ１１，１３間に挿入し、この第２額縁４２Ｒを第１偏光ビームスプリッタ１１の上面に接着している。
【００７６】
更に、Ｂ用偏光変換板２６を接着した第２額縁４２Ｌは、テーパー面４２ｅ１を先頭にして第３，第４偏光ビームスプリッタ１３，１４の各側面側から矢印Ｙ２方向に向かって第３，第４偏光ビームスプリッタ１３，１４間に挿入し、この第２額縁４２Ｌを第４偏光ビームスプリッタ１４の上面に接着している。
【００７７】
これらの各第２額縁４２Ｌ，４２Ｒの挿入に伴って、各第２額縁４２Ｌ，４２Ｒの各上側面４２ｃに形成した各接着用鍔部４２ｃ１は、大型サイズの第１偏光ビームスプリッタ１１の上面又は第４偏光ビームスプリッタ１４の上面に当接するように挿入され、且つ、各第２額縁４２Ｌ，４２Ｒの各後面４２ｂを第１偏光ビームスプリッタ１１の側面又は第４偏光ビームスプリッタ１４の側面に密着させて挿入している。この際、各第２額縁４２Ｌ，４２Ｒの各後面４２ｂを第１，第４偏光ビームスプリッタ１１，１２の各側面に密着させて挿入する場合に、各後面４２ｂ側では、図８（ｄ），（ｇ）に示したように挿入方向の先頭部位に各後面４２ｂよりも浅く凹ませた段差４２ｂ２が形成されているので、第１，第４偏光ビームスプリッタ１１，１２の各側面を傷つけることがない。
【００７８】
この際、図１０（ａ），（ｂ）に示した如く、例えば、Ｇ用偏光変換板２３を接着した第２額縁４２Ｌを第１，第２偏光ビームスプリッタ１１，１２間に挿入した場合、矢印Ｙ１方向を先頭にしたテーパー面４２ｅ１は前面４２ａに対して開口されているので、第２額縁４２Ｌの段差部４２ａ１と対向する側に配置した小型サイズの第２偏光ビームスプリッタ１２の一部を前面４２ａ側に形成した段差部４２ａ１内に寸法Ｔだけオーパラップして侵入させることができ、これにより第１，第２偏光ビームスプリッタ１１，１２間への塵埃の侵入を防止し、且つ、第２偏光ビームスプリッタ１２の側面を第２額縁４２Ｌの右側面４２ｆに形成したストッパー面４２ｆ１に当接させて挿入方向に対して位置決めしている。この後、第２額縁４２Ｌの上側面４２ｃから後面４２ｂよりも後方に向かって突出形成した接着用鍔部４２ｃ１の凹溝４２ｃ１−１内に不図示の接着剤を充填して大型サイズの第１偏光ビームスプリッタ１１の上面に接着している。
【００７９】
勿論、この他の第２額縁４２Ｌ，４２Ｒも小型サイズの第２偏光ビームスプリッタ１２の一部を前面４２ａ側に形成した段差部４２ａ１内に寸法Ｔだけオーパラップして侵入させて、他の第２額縁４２Ｌ，４２Ｒを大型サイズの第１偏光ビームスプリッタ１１の上面又は第４偏光ビームスプリッタ１４の上面のいずれかに接着している。
【００８０】
そして、各第２額縁４２Ｌ，４２Ｒを各偏光ビームスプリッタ（１１〜１４）同士の向かい合う面間に挿入した時に、図１１に拡大して示した如く、各テーパー面４２ｅ１，４２ｆ２は第２，第３偏光ビームスプリッタ１２，１３の各偏光分離面１２ａ，１３ａの延長線上に沿って配置されることになると共に、合計４個の第２額縁４２Ｌ，４２Ｒは直交配置される。
【００８１】
再び図９に戻り、各第２額縁４２Ｌ，４２Ｒを各偏光ビームスプリッタ（１１〜１４）同士の向かい合う面間に挿入した後、ノッチフィルタ板２１とＢ用偏光変換板２２とを接着した第１額縁４１Ｌを第１偏光ビームスプリッタ１１の光入射面に取り付け、且つ、ゴーストバスター板２７を接着した第１額縁４１Ｒを第４偏光ビームスプリッタ１４の光出射面に取り付けている。
【００８２】
この際、第１額縁４１Ｌ，（４１Ｒ）は、図５（ａ），（ｂ）で説明したように、第１額縁４１Ｌの上側面４１ｃ側，下側面４１ｄ側，左側面４１ｅ側，（右側面４１ｆ側）で後面４１ｂよりも後方に向かって突出形成した各接着用鍔部４１ｃ１，４１ｄ１，４１ｅ１，（４１ｆ１）の各凹溝４１ｃ１−１，４１ｃ１−２，４１ｄ１−１，４１ｄ１−２，４１ｅ１−１，４１ｅ１−２，（４１ｆ１−１，４１ｆ１−２）内に不図示の接着剤を充填して第１，（第４）偏光ビームスプリッタ１１，（１４）の各面に接着している。
【００８３】
そして、第１額縁４１Ｌ，４１Ｒ及び第２額縁４２Ｌ，４２Ｒを第１，第４偏光ビームスプリッタ１１，１４に接着した状態は、図１２に示した形態で組み立てられる。
【００８４】
更に、図１３に示した如く、色分解及び色合成光学系１０を組み立てた後に、合計４個の第２額縁４２Ｌ，４２Ｒを交差させた各テーパー面４２ｅ１，４２ｆ２の各上面に透明シート４３を貼り付けることで、上方から塵埃が色分解及び色合成光学系１０内に侵入するのを防止している。
【００８５】
上記したように本発明に係る実施例１の色分解及び色合成光学系１０では、４個の第１〜第４偏光ビームスプリッタ１１〜１４を上面側から見た時に各偏光ビームスプリッタの偏光分離面１１ａ〜１４ａがＸ字状になるように配置すると共に、各偏光ビームスプリッタ（１１〜１４）同士の向かい合う面間に所定の隙間Ｓを確保した上で各下面１１ｃ〜１４ｃをベース台１５上に接着した後に、各種の光学機能板を接着した第１額縁４１Ｌ，４１Ｒ及び第２額縁４２Ｌ，４２Ｒを大型サイズの第１，第４偏光ビームスプリッタ１１，１４に接着しているので、各種の光学機能板を組み立て性良く第１，第４偏光ビームスプリッタ１１，１４に取り付けることができ、しかも色分解及び色合成光学系１０の光学特性を良好に維持でき、更に、色分解及び色合成光学系１０内に塵埃が侵入しないように考慮が図られている。
【００８６】
ここで、実施例１の色分解及び色合成光学系１０において、先に説明した第１額縁４１Ｌ，４１Ｒを一部変形させた変形例１〜変形例３について、図１４〜図１６を用いて説明する。
【００８７】
尚、図１４〜図１６中では第１ビームスプリッタ１１の光入射面に取り付けられる変形例１〜３の第１額縁４１Ｌ−（１）〜４１Ｌ−（３）のみを図示し、一方、第４ビームスプリッタ１４の光出射面に取り付けられる変形例１〜３の第１額縁４１Ｒ−（１）〜４１Ｒ−（３）は変形例１〜３の第１額縁４１Ｌ−（１）〜４１Ｌ−（３）に対して左右対称に形成すれば良いので説明及び図示を省略する。
【００８８】
図１４は本発明に係る実施例１の色分解及び色合成光学系において、一部変形させた変形例１の額縁を説明するための図であり、（ａ）は斜視図であり、（ｂ）はＸ−Ｘ矢視断面図であり、（ｃ）はＹ−Ｙ矢視断面図、
図１５は本発明に係る実施例１の色分解及び色合成光学系において、一部変形させた変形例２の額縁を説明するための図であり、（ａ）は斜視図であり、（ｂ）はＸ−Ｘ矢視断面図であり、（ｃ）はＹ−Ｙ矢視断面図、
図１６は本発明に係る実施例１の色分解及び色合成光学系において、一部変形させた変形例３の額縁を説明するための図であり、（ａ）は斜視図であり、（ｂ）はＸ−Ｘ矢視断面図であり、（ｃ）はＹ−Ｙ矢視断面図である。
【００８９】
まず、図１４（ａ）〜（ｃ）に示した如く、変形例１の第１額縁４１Ｌ−（１）は、先に図５（ａ）及び図６（ａ）〜（ｆ）を用いて説明した第１額縁４１Ｌと同様に光学機能板と略同じ値の熱膨脹係数を有する黒色樹脂材を用いて略矩形の額縁状に形成されており、第１額縁４１Ｌに対して異なる点のみを説明する。
【００９０】
上記した変形例１の第１額縁４１Ｌ−（１）の上側面４１ｃ側には、接着用鍔部４１ｃ２，４１ｃ３が左右に分かれてそれぞれ前面４１ａと反対側の後面４１ｂよりも後方に向かって水平に突出形成され、且つ、後面４１ｂよりも後方の接着用鍔部４１ｃ２，４１ｃ３内に不図示の接着剤を第１ビームスプリッタ１１側に充填するための貫通孔４１ｃ２−１，４１ｃ３−１が貫通して矩形状に形成されている。この際、成形金型の関係で前面４１ａ側から接着用鍔部４１ｃ２，４１ｃ３の後方に向かって凹状にへこませると、後面４１ｂ側に矩形状に開口された開口部４１ｂ１の枠を介して、後面４１ｂよりも後方の接着用鍔部４１ｃ２，４１ｃ３内に貫通孔４１ｃ２−１，４１ｃ３−１が貫通して矩形状に形成されるものである。
【００９１】
また、上記と同様に、第１額縁４１Ｌ−（１）の下側面４１ｄ側には、接着用鍔部４１ｄ２，４１ｄ３が左右に分かれてそれぞれ後面４１ｂよりも後方に向かって水平に突出形成され、且つ、後面４１ｂよりも後方の接着用鍔部４１ｄ２，４１ｄ３内に不図示の接着剤を第１ビームスプリッタ１１側に充填するための貫通孔４１ｄ２−１，４１ｄ３−１が貫通して矩形状に形成されている。
【００９２】
また、上記と同様に、第１額縁４１Ｌ−（１）の左面４１ｅ側には、接着用鍔部４１ｅ２，４１ｅ３が上下に分かれてそれぞれ後面４１ｂよりも後方に向かって垂直に突出形成され、且つ、後面４１ｂよりも後方の接着用鍔部４１ｅ２，４１ｅ３内に不図示の接着剤を第１ビームスプリッタ１１側に充填するための貫通孔４１ｅ２−１，４１ｅ３−１が貫通して矩形状に形成されている。
【００９３】
そして、第１額縁４１Ｌ−（１）の上側面４１ｃ側，下側面４１ｄ側，左側面４１ｅ側に形成した各接着用鍔部４１ｃ２，４１ｃ３，４１ｄ２，４１ｄ３，４１ｅ２，４１ｅ３の各貫通孔４１ｃ２−１，４１ｃ３−１，４１ｄ２−１，４１ｄ３−１，４１ｅ２−１，４１ｅ３−１内に不図示の接着剤をそれぞれ充填することで、第１額縁４１Ｌ−（１）が光源側の第１偏光ビームスプリッタ１１に接着されるようになっている。
【００９４】
この際、前述した第１額縁４１Ｌが光源側の第１偏光ビームスプリッタ１１に接着された後、この第１額縁４１Ｌを前方に向かって故意に引き剥がそうとした力が働いた時に、各接着用鍔部に接着剤充填用として形成した各凹溝は後端が開口されているために、不図示の接着剤のみが第１ビームスプリッタ１１側に残されたまま第１額縁４１Ｌが引き剥がされる危険性がある。これに対して、変形例の第１額縁４１Ｌ−（１）では各接着用鍔部に接着剤充填用として形成した各貫通孔は第１ビームスプリッタ１１側に貫通しているので、不図示の接着剤のみが第１ビームスプリッタ１１側に残されたままになる危険性がなく、第１額縁４１Ｌ−（１）の第１ビームスプリッタ１１への接着強度を高めることができる。
【００９５】
次に、図１５（ａ）〜（ｃ）に示した如く、変形例２の第１額縁４１Ｌ−（２）も、前述した第１額縁４１Ｌ及び変形例１の第１額縁４１Ｌ−（１）と同様に光学機能板と略同じ値の熱膨脹係数を有する黒色樹脂材を用いて略矩形の額縁状に形成されており、第１額縁４１Ｌ及び変形例１の第１額縁４１Ｌ−（１）に対して異なる点のみを説明する。
【００９６】
上記した変形例２の第１額縁４１Ｌ−（２）の上側面４１ｃ側には、接着用鍔部４１ｃ４，４１ｃ５が左右に分かれてそれぞれ前面４１ａと反対側の後面４１ｂよりも後方に向かって水平に突出形成され、且つ、後面４１ｂよりも後方の接着用鍔部４１ｃ４，４１ｃ５内に不図示の接着剤を第１ビームスプリッタ１１側に充填するためのテーパー付き貫通孔４１ｃ４−１，４１ｃ５−１が貫通して形成されている。この際、成形金型の関係で前面４１ａ側から接着用鍔部４１ｃ４，４１ｃ５の後方に向かって左右両側にテーパーを付けて凹状にへこませると、後面４１ｂ側に矩形状に開口された開口部４１ｂ１の枠を介して、後面４１ｂよりも後方の接着用鍔部４１ｃ４，４１ｃ５内にテーパー付き貫通孔４１ｃ４−１，４１ｃ５−１が貫通して形成されるものである。
【００９７】
また、上記と同様に、第１額縁４１Ｌ−（２）の下側面４１ｄ側には、接着用鍔部４１ｄ４，４１ｄ５が左右に分かれてそれぞれ後面４１ｂよりも後方に向かって水平に突出形成され、且つ、後面４１ｂよりも後方の接着用鍔部４１ｄ４，４１ｄ５内に不図示の接着剤を第１ビームスプリッタ１１側に充填するためのテーパー付き貫通孔４１ｄ４−１，４１ｄ５−１が貫通して形成されている。
【００９８】
また、上記と同様に、第１額縁４１Ｌ−（２）の左面４１ｅ側には、接着用鍔部４１ｅ４，４１ｅ５が上下に分かれてそれぞれ後面４１ｂよりも後方に向かって垂直に突出形成され、且つ、後面４１ｂよりも後方の接着用鍔部４１ｅ４，４１ｅ５内に不図示の接着剤を第１ビームスプリッタ１１側に充填するためのテーパー付き貫通孔４１ｅ４−１，４１ｅ５−１が貫通して形成されている。
【００９９】
そして、第１額縁４１Ｌ−（２）の上側面４１ｃ側，下側面４１ｄ側，左側面４１ｅ側に形成した各接着用鍔部４１ｃ４，４１ｃ５，４１ｄ４，４１ｄ５，４１ｅ４，４１ｅ５の各テーパー付き貫通孔４１ｃ４−１，４１ｃ５−１，４１ｄ４−１，４１ｄ５−１，４１ｅ４−１，４１ｅ５−１内に不図示の接着剤をそれぞれ充填することで、第１額縁４１Ｌ−（２）が光源側の第１偏光ビームスプリッタ１１に接着されるようになっている。
【０１００】
この変形例２の第１額縁４１Ｌ−（２）でも、各接着用鍔部に接着剤充填用として形成した各テーパー付き貫通孔は第１ビームスプリッタ１１側に貫通しているので、変形例１の第１額縁４１Ｌ−（１）と同様に、不図示の接着剤のみが第１ビームスプリッタ１１側に残されたままになる危険性がなく、第１額縁４１Ｌ−（２）の第１ビームスプリッタ１１への接着強度を高めることができる。
【０１０１】
次に、図１６（ａ）〜（ｃ）に示した如く、変形例３の第１額縁４１Ｌ−（３）は、前述した第１額縁４１Ｌ及び変形例１の第１額縁４１Ｌ−（１）並びに変形例２の第１額縁４１Ｌ−（２）と同様に光学機能板と略同じ値の熱膨脹係数を有する黒色樹脂材を用いて略矩形の額縁状に形成されており、第１額縁４１Ｌ及び変形例１の第１額縁４１Ｌ−（１）並びに変形例２の第１額縁４１Ｌ−（２）に対して異なる点のみを説明する。
【０１０２】
上記した変形例３の第１額縁４１Ｌ−（３）の上側面４１ｃ側には、接着用鍔部４１ｃ６，４１ｃ７が左右に分かれてそれぞれ前面４１ａと反対側の後面４１ｂよりも後方に向かって水平に突出形成され、且つ、後面４１ｂよりも後方の接着用鍔部４１ｃ６，４１ｃ７内に不図示の接着剤を第１ビームスプリッタ１１側に充填するための段付き貫通孔４１ｃ６−１，４１ｃ７−１が貫通して形成されている。この際、成形金型の関係で前面４１ａ側から接着用鍔部４１ｃ６，４１ｃ７の後方に向かって左右上下に段付きで凹状にへこませると、後面４１ｂ側に矩形状に開口された開口部４１ｂ１の枠を介して、後面４１ｂよりも後方の接着用鍔部４１ｃ６，４１ｃ７内に段付き貫通孔４１ｃ６−１，４１ｃ７−１が貫通して形成されるものである。
【０１０３】
また、上記と同様に、第１額縁４１Ｌ−（３）の下側面４１ｄ側には、接着用鍔部４１ｄ６，４１ｄ７が左右に分かれてそれぞれ後面４１ｂよりも後方に向かって水平に突出形成され、且つ、後面４１ｂよりも後方の接着用鍔部４１ｄ６，４１ｄ７内に不図示の接着剤を第１ビームスプリッタ１１側に充填するための段付き貫通孔４１ｄ６−１，４１ｄ７−１が貫通して形成されている。
【０１０４】
また、上記と同様に、第１額縁４１Ｌ−（３）の左面４１ｅ側には、接着用鍔部４１ｅ６，４１ｅ７が上下に分かれてそれぞれ後面４１ｂよりも後方に向かって垂直に突出形成され、且つ、後面４１ｂよりも後方の接着用鍔部４１ｅ６，４１ｅ７内に不図示の接着剤を第１ビームスプリッタ１１側に充填するための段付き貫通孔４１ｅ６−１，４１ｅ７−１が貫通して形成されている。
【０１０５】
そして、第１額縁４１Ｌ−（３）の上側面４１ｃ側，下側面４１ｄ側，左側面４１ｅ側に形成した各接着用鍔部４１ｃ６，４１ｃ７，４１ｄ６，４１ｄ７，４１ｅ６，４１ｅ７の各凹溝４１ｃ６−１，４１ｃ７−１，４１ｄ６−１，４１ｄ７−１，４１ｅ６−１，４１ｅ７−１内に不図示の接着剤をそれぞれ充填することで、第１額縁４１Ｌ−（３）が光源側の第１偏光ビームスプリッタ１１に接着されるようになっている。
【０１０６】
この変形例２の第１額縁４１Ｌ−（３）でも、各接着用鍔部に接着剤充填用として形成した各段付き貫通孔は第１ビームスプリッタ１１側に貫通しているので、変形例１，２の第１額縁４１Ｌ−（１），４１Ｌ−（２）と同様に、不図示の接着剤のみが第１ビームスプリッタ１１側に残されたままになる危険性がなく、第１額縁４１Ｌ−（３）の第１ビームスプリッタ１１への接着強度を高めることができる。
【実施例２】
【０１０７】
図１７は本発明に係る実施例２の色分解及び色合成光学系の原理図、
図１８は本発明に係る実施例２の色分解及び色合成光学系を組み立てた状態を一部断面して示した平面図である。
【０１０８】
図１７及び図１８に示した実施例２の色分解及び色合成光学系１０’は、先に説明した実施例１の色分解及び色合成光学系１０に対して各種の光学機能板の配置が異なると共に、反射型空間光変調素子（反射型液晶パネル）３０Ｒ，３０Ｇ，３０Ｂの配置が異なっており、ここでは説明の便宜上、先に示した構成部材に対しては同一の符号を付し、且つ、実施例１に対して異なる構成部材に新たな符号を付して説明する。
【０１０９】
図１７に示した如く、本発明に係る実施例２の色分解及び色合成光学系１０’も、実施例１と同様に、４個の第１〜第４偏光ビームスプリッタ１１〜１４が上面側から見て平面的に示した時に各偏光ビームスプリッタの偏光分離面１１ａ〜１４ａがＸ字状になるように配置されている。
【０１１０】
この際、図１７の平面図上で、第１偏光ビームスプリッタ１１の左方に第２偏光ビームスプリッタ１２を配置し、且つ、第１偏光ビームスプリッタ１１の上方に第３偏光ビームスプリッタ１３を配置すると共に、第２偏光ビームスプリッタ１２の上方で且つ第３偏光ビームスプリッタ１３の左方に第４偏光ビームスプリッタ１４を配置しており、更に、第１偏光ビームスプリッタ１１の光入射面と第４偏光ビームスプリッタ１４の光出射面とが各種の光学機能板５１〜５４の配置関係及び反射型液晶パネル３０Ｒ，３０Ｇ，３０Ｂの配置関係により実施例１と異なって平行になっている。
【０１１１】
また、実施例１と同様に、白色光が入射する光源部側の第１偏光ビームスプリッタ１１と、色合成光を出射する投射レンズ側の第４偏光ビームスプリッタ１４とが大型サイズに形成されており、且つ、第１，第４偏光ビームスプリッタ１１，１４の各偏光分離面１１ａ，１４ａが対角状に配置されている。また、第２，第３偏光ビームスプリッタ１２，１３は、第１，第４偏光ビームスプリッタ１１，１４よりも一回り小型サイズに形成されており、且つ、第２，第３偏光ビームスプリッタ１２，１３の各偏光分離面１２ａ，１３ａが第１，第４偏光ビームスプリッ１１，１４の偏光分離面１１ａ，１４ａに対して直交するように対角状に配置されている。
【０１１２】
また、上記した第１〜第４偏光ビームスプリッ１１〜１４の各偏光分離面１１ａ〜１４ａは、実施例１と同様に、ｐ偏光光を透過し、且つ、ｓ偏光光を反射する半透過・反射偏光膜が直方形状の対角線に沿って形成されている。
【０１１３】
ここで、実施例１と異なる点を説明すると、小型サイズの第２偏光ビームスプリッタ１２の左側面に対向してＧ用の反射型液晶パネル３０Ｇが配置され、且つ、小型サイズの第３偏光ビームスプリッタ１３の上面及び右側面に対向してＲ用の反射型液晶パネル３０ＲとＢ用の反射型液晶パネル３０Ｂとが互いに直交してそれぞれ配置され、反射型液晶パネル３０Ｒ，３０Ｇ，３０Ｂは第２，第３偏光ビームスプリッタ１２，１３のサイズに合わせて小型化されている。
【０１１４】
また、光源部側の第１偏光ビームスプリッタ１１の光入射面には、Ｇ光の偏波面を９０°回転させる機能を有する波長選択性偏光変換板（以下、Ｇ用偏光変換板と記す）５１が設置されている。また、第１偏光ビームスプリッタ１１と第３偏光ビームスプリッタ１３との間には、Ｒ光の偏波面を９０°回転させる機能を有する波長選択性偏光変換板（以下、Ｒ用偏光変換板と記す）５２が設置されている。また、第３偏光ビームスプリッタ１３と第４偏光ビームスプリッタ１４との間には、Ｒ光の偏波面を９０°回転させる機能を有する波長選択性偏光変換板（以下、Ｒ用偏光変換板と記す）５３が設置されている。また、光源側の第４偏光ビームスプリッタ１４の光出射面には、Ｇ光の偏波面を９０°回転させる機能を有する波長選択性偏光変換板（以下、Ｇ用偏光変換板と記す）５４が設置されている。
【０１１５】
従って、上記した各構成部材のうちでＧ用偏光変換板５１，Ｒ用偏光変換板５２，Ｒ用偏光変換板５３，Ｇ用偏光変換板５４は、光を透過させる時にそれぞれ固有の光学機能を有しているので、以下、これらを総称して光透過型の光学機能板と呼称する場合もある。
【０１１６】
この際、実施例２では、第１，第２偏光ビームスプリッタ１１，１２間及び第２，第３偏光ビームスプリッタ１２，１３間には、光学機能板が配置されていない。従って、各偏光ビームスプリッタ（１１〜１４）同士の向かい合う面間では、必要に応じて光学機能板を配置すれば良いものである。
【０１１７】
そして、光源部から得られたｓ偏光光のＲｓ光，Ｇｓ光，Ｂｓ光からなる白色光を、第１偏光ビームスプリッタ１１の光入射面側から入射させると、図示の各光路を経た後に第４偏光ビームスプリッタ１４の光出射面側からｐ偏光光のＲｐ及びＧｐ光並びにＢｐ光を合成した色合成光が投射レンズ側に出射されるように構成されている。
【０１１８】
次に、実施例２の色分解及び色合成光学系１０’を組み立てる際には、図１８に示した如く、４個の第１〜第４偏光ビームスプリッタ１１〜１４を上面側から見た時に各偏光ビームスプリッタの偏光分離面１１ａ〜１４ａがＸ字状になるように配置すると共に、各偏光ビームスプリッタ（１１〜１４）同士の向かい合う面間に所定の隙間Ｓを確保した上でベース台１５上に接着した後に、上記した所定の隙間Ｓ内に第２額縁４２Ｌ，４２Ｒを挿入して、第２額縁４２Ｌ，４２Ｒを第１偏光ビームスプリッタ１１の上面又は第４偏光ビームスプリッタ１４の上面のいずれかに接着している。
【０１１９】
具体的に説明すると、光学機能板を接着していない空の第２額縁４２Ｌを矢印Ｙ１方向から第１，第２偏光ビームスプリッタ１１，１２間に挿入して、光学機能板無しの第２額縁４２Ｌを第１偏光ビームスプリッタ１１の上面に接着している。
【０１２０】
また、光学機能板を接着していない空の第２額縁４２Ｒを矢印Ｘ１方向から第２，第４偏光ビームスプリッタ１２，１４間に挿入して、光学機能板無しの第２額縁４２Ｒを第４偏光ビームスプリッタ１４の上面に接着している。
【０１２１】
また、Ｒ用偏光変換板５２を接着した第２額縁４２Ｒを矢印Ｘ２方向から第１，第３偏光ビームスプリッタ１１，１３間に挿入して、光学機能板有りの第２額縁４２Ｒを第１偏光ビームスプリッタ１１の上面に接着している。
【０１２２】
更に、Ｒ用偏光変換板５３を接着した第２額縁４２Ｌを矢印Ｙ２方向から第３，第４偏光ビームスプリッタ１３，１４間に挿入して、光学機能板有りの第２額縁４２Ｌを第４偏光ビームスプリッタ１４の上面に接着している。
【０１２３】
上記から各偏光ビームスプリッタ（１１〜１４）同士の向かい合う面間には、光学機能板を接着した第２額縁４２Ｌ，４２Ｒと、光学機能板を接着していない空の第２額縁４２Ｌ，４２Ｒとを適宜組み合わせて直交配置したことになる。
【０１２４】
そして、各第２額縁４２Ｌ，４２Ｒを各偏光ビームスプリッタ（１１〜１４）同士の向かい合う面間に挿入した後、Ｇ用偏光変換板５１を接着した第１額縁４１Ｌを第１偏光ビームスプリッタ１１の光入射面に取り付け、且つ、Ｇ用偏光変換板５４を接着した第１額縁４１Ｌを第４偏光ビームスプリッタ１４の光出射面に取り付けている。
【０１２５】
従って、上記した本発明に係る実施例２の色分解及び色合成光学系１０’でも、実施例１と略同様に、４個の第１〜第４偏光ビームスプリッタ１１〜１４を上面側から見た時に各偏光ビームスプリッタの偏光分離面１１ａ〜１４ａがＸ字状になるように配置すると共に、各偏光ビームスプリッタ（１１〜１４）同士の向かい合う面間に所定の隙間Ｓを確保した上で各下面１１ｃ〜１４ｃをベース台１５上に接着した後に、各種の光学機能板を接着した第１額縁４１Ｌ，４１Ｒと、光学機能板無し及び光学機能板有りの第２額縁４２Ｌ，４２Ｒとを大型サイズの第１，第４偏光ビームスプリッタ１１，１４に接着しているので、各種の光学機能板を組み立て性良く第１，第４偏光ビームスプリッタ１１，１４に取り付けることができ、しかも色分解及び色合成光学系１０’の光学特性を良好に維持でき、更に、色分解及び色合成光学系１０’内に塵埃が侵入しないように考慮が図られている。
【図面の簡単な説明】
【０１２６】
【図１】本発明に係る実施例１の色分解及び色合成光学系の原理図である。
【図２】図１に示した波長選択性偏光変換板（Ｒ，Ｇ，Ｂ用偏光変換板）を拡大して示した斜視図である。
【図３】４個の第１〜第４偏光ビームスプリッタをベース台上に予め接着した状態を示した斜視図である。
【図４】（ａ），（ｂ）は４個の第１〜第４偏光ビームスプリッタをベース台上に接着する動作を説明するための側面図，下面図である。
【図５】（ａ），（ｂ）は第１額縁４１Ｌ，４１Ｒを拡大して示した斜視図である。
【図６】（ａ）〜（ｆ）は第１額縁４１Ｌを示した上面図，前面図，左側面図，後面図，Ｘ−Ｘ断面図，Ａ部拡大図である。
【図７】（ａ），（ｂ）は第２額縁４２Ｌ，４２Ｒを拡大して示した斜視図である。
【図８】（ａ）〜（ｈ）は第２額縁４２Ｌを示した上面図，前面図，左側面図，後面図，Ｙ−Ｙ断面図，Ｘ−Ｘ断面図，Ａ部拡大図，下面図である。
【図９】本発明に係る実施例１の色分解及び色合成光学系を組み立てた状態を一部断面して示した平面図である。
【図１０】（ａ），（ｂ）は第１，第２額縁を第１偏光ビームスプリッタに取り付けた状態を示した断面図，斜視図である。
【図１１】４個の第２額縁の各テーパー面をＸ字状に交差させた状態を拡大して示した平面図である。
【図１２】本発明に係る実施例１の色分解及び色合成光学系を組み立てた状態を示した斜視図である。
【図１３】本発明に係る実施例１の色分解及び色合成光学系において、４個の第２額縁の各テーパー面をＸ字状に交差させた上面に透明シールを貼り付けた状態を示した平面図である。
【図１４】本発明に係る実施例１の色分解及び色合成光学系において、一部変形させた変形例１の額縁を説明するための図であり、（ａ）は斜視図であり、（ｂ）はＸ−Ｘ矢視断面図であり、（ｃ）はＹ−Ｙ矢視断面図である。
【図１５】本発明に係る実施例１の色分解及び色合成光学系において、一部変形させた変形例２の額縁を説明するための図であり、（ａ）は斜視図であり、（ｂ）はＸ−Ｘ矢視断面図であり、（ｃ）はＹ−Ｙ矢視断面図である。
【図１６】本発明に係る実施例１の色分解及び色合成光学系において、一部変形させた変形例３の額縁を説明するための図であり、（ａ）は斜視図であり、（ｂ）はＸ−Ｘ矢視断面図であり、（ｃ）はＹ−Ｙ矢視断面図である。
【図１７】本発明に係る実施例２の色分解及び色合成光学系の原理図である。
【図１８】本発明に係る実施例２の色分解及び色合成光学系を組み立てた状態を一部断面して示した平面図である。
【符号の説明】
【０１２７】
１０…実施例１の色分解及び色合成光学系、
１０’…実施例２の色分解及び色合成光学系、
１１〜１４…第１〜第４偏光ビームスプリッタ、１１ａ〜１４ａ…偏光分離面、
１１ｂ〜１４ｂ…上面、１１ｃ〜１４ｃ…下面、
１５…ベース台、
２１…ノッチフィルタ板、２２…波長選択性偏光変換板（Ｂ用偏光変換板）、
２３…波長選択性偏光変換板（Ｇ用偏光変換板）、
２４…波長選択性偏光変換板（Ｒ用偏光変換板）、
２５…半波長板、２６…波長選択性偏光変換板（Ｂ用偏光変換板）、
２７…ゴーストバスター板、
３０Ｒ，３０Ｇ，３０Ｂ…反射型空間光変調素子（反射型液晶パネル）、
４１Ｌ，４１Ｒ…第１額縁、
４１ａ…前面、４１ａ１，４１ａ２…第１，第２段差部、４１ａ３…糊代部、
４１ｂ…後面、４１ｂ１…開口部、
４１ｃ…上側面、４１ｃ１…接着用鍔部、４１ｃ１−１，４１ｃ１−２…凹溝、
４１ｄ…下側面、４１ｄ１…接着用鍔部、４１ｄ１−１，４１ｄ１−２…凹溝、
４１ｅ…左側面、４１ｅ１…接着用鍔部、４１ｅ１−１，４１ｅ１−２…凹溝、
４１ｆ…右側面、４１ｆ１…接着用鍔部、
４２Ｌ，４２Ｒ…第２額縁、
４２ａ…前面、４２ａ１…段差部、４２ａ２…糊代部、
４２ｂ…後面、４２ｂ１…開口部、
４２ｃ…上側面、４２ｃ１…接着用鍔部、４２ｃ１−１…凹溝、
４２ｄ…下側面、４２ｄ１…切り欠き部、
４２ｅ…左側面、４２ｅ１…テーパー面、
４２ｆ…右側面、４２ｆ１…ストッパー面、４２ｆ２…テーパー面、
４１Ｌ−（１），４１Ｒ−（１）…変形例１の第１額縁、
４１ｃ２，４１ｃ３…接着用鍔部、４１ｃ２−１，４１ｃ３−１…貫通孔、
４１ｄ２，４１ｄ３…接着用鍔部、４１ｄ２−１，４１ｄ３−１…貫通孔、
４１ｅ２，４１ｅ３…接着用鍔部、４１ｅ２−１，４１ｅ３−１…貫通孔、
４１Ｌ−（２），４１Ｒ−（２）…変形例２の第１額縁、
４１ｃ４，４１ｃ５…接着用鍔部、４１ｃ４−１，４１ｃ５−１…テーパー付き貫通孔、
４１ｄ４，４１ｄ５…接着用鍔部、４１ｄ４−１，４１ｄ５−１…テーパー付き貫通孔、
４１ｅ４，４１ｅ５…接着用鍔部、４１ｅ４−１，４１ｅ５−１…テーパー付き貫通孔、
４１Ｌ−（３），４１Ｒ−（３）…変形例３の第１額縁、
４１ｃ６，４１ｃ７…接着用鍔部、４１ｃ６−１，４１ｃ７−１…段付き貫通孔、
４１ｄ６，４１ｄ７…接着用鍔部、４１ｄ６−１，４１ｄ７−１…段付き貫通孔、
４１ｅ６，４１ｅ７…接着用鍔部、４１ｅ６−１，４１ｅ７−１…段付き貫通孔、
５１…波長選択性偏光変換板（Ｇ用偏光変換板）、
５２…波長選択性偏光変換板（Ｒ用偏光変換板）、
５３…波長選択性偏光変換板（Ｒ用偏光変換板）、
５４…波長選択性偏光変換板（Ｇ用偏光変換板）、
Ｒｐ，Ｇｐ，Ｂｐ…ｐ偏光光、Ｒｓ，Ｇｓ，Ｂｓ…ｓ偏光光、
Ｓ…各偏光ビームスプリッタ同士の向かい合う面間に形成された所定の隙間。
【図１】
2005266763.tif 000003
【図２】
2005266763.tif 000004
【図３】
2005266763.tif 000005
【図４】
2005266763.tif 000006
【図５】
2005266763.tif 000007
【図６】
2005266763.tif 000008
【図７】
2005266763.tif 000009
【図８】
2005266763.tif 000010
【図９】
2005266763.tif 000011
【図１０】
2005266763.tif 000012
【図１１】
2005266763.tif 000013
【図１２】
2005266763.tif 000014
【図１３】
2005266763.tif 000015
【図１４】
2005266763.tif 000016
【図１５】
2005266763.tif 000017
【図１６】
2005266763.tif 000018
【図１７】
2005266763.tif 000019
【図１８】
2005266763.tif 000020